(57)【特許請求の範囲】
【請求項１】
複数のボールペン筆記体を軸筒内に搭載して、選択的に夫々の筆記先端部を軸筒の先端口から交互に出没可能とした複式筆記具に於いて、軸筒の後端孔に軸筒に対し回転のみ可能に止着される前方にスリット部を備えた操作体と、そのスリット部を貫通し更に軸筒の内周に設けた螺旋溝にボールペン筆記体と連動するように設けた摺動突部を係合させて、軸筒に対し操作体を回転することでボールペン筆記体が前後動可能となり、又、ボールペン筆記体のインキ収容部は略非変形で、且つ軸内に揺動なく嵌挿されるものであって、インキ収容部と筆記先端部を接続する部位がフレキシブルに変位可能な屈曲可能部で形成されたことを特徴とする複式筆記具。
【請求項２】
操作体の一側面に基部が固定されて軸筒の前方に向かって配設されたクリップと、クリップの先方部に係止部を備えた玉部が設けられ、該玉部と対接する軸筒周面の所定位置に係止部を備えた膨出部が設けられて、操作体を回転して筆記先端部が軸筒の先端口から突出した状態位置のみにおいて、クリップの玉部と膨出部の係止部が相互に係合してクリップの玉部が軸筒面から離反しないように構成されたことを特徴とする上記請求項１記載の複式筆記具。
【請求項３】
上記ボールペン筆記体は、先端ボールを抱持するチップと後方にインク収容管を有し、該インク収容管内に筆記に伴う先端ボールの回転で粘性が低下して流出される、所謂剪断減粘性を有した水性ボールペンインキ又は低粘度の油性インキが充填され、インキの後端に筆記に伴うインキの消耗に追随して移動するグリース状の半透明不乾性物から成るフォロアが充填されて構成された請求項１記載の複式筆記具。
【請求項４】
上記ボールペン筆記体は、先端ボールがチップ先端のボール抱持部の内縁に常時は押圧して密接し、筆記時には密接状態が解除されるように設けられたスプリングを有することから成る請求項３記載の複式筆記具。
【請求項５】
上記ボールペン筆記体は、チップ後端に対接してボール弁が遊嵌された弁室が設けられ、該弁室後部にボール弁が密接してインキの逆流を防ぐボール受け座及び該ボール受け座からインキ収容管に通ずる導孔が設けられて成る請求項４記載の複式筆記具。
【発明の詳細な説明】
【０００１】
【産業上の利用分野】
本発明は、複数のボールペン筆記体を搭載した複式筆記具の改良に関する。
【０００２】
【従来の技術】
一般に、シャープペンシルやボールペン等の複数の筆記体を搭載して、軸先から選択的にその筆記先端部を出没可能とした複式筆記具が知られている。
【０００３】
又、水性ボールペンは、粘度が数ｍＰａ・Ｓ以下の低粘性である為、軽い筆記圧で書けることが利点であり、書き味が良好である特徴がある。しかしながら、インキがペン先からだらだらと流れ出る直流現象や、反対にボールペンの先から空気が流入してインキが流出する逆流現象などが起こり易い欠点がある。これらの現象は中綿と称する繊維の収束体などを用いて防止する方法がとられている。
【０００４】
一方、従来知られている油性ボールペンは、それに使用するインキが粘度が数千ｍＰａ・Ｓ以上の高粘度のために、ペン先からインキが流出する際にボールが回転する時の抵抗が大きいため書き味が悪い欠点がある。又、筆記の際に先端から流出するインキ量は少なく、ボテ現象があり、筆記描線のムラがあり筆跡濃度が薄いこと、高い筆記圧が必要なことなどの問題がある。
【０００５】
この油性ボールペンの改良として、最近、上記の水性と油性との中間粘度領域（数ｍＰａ・Ｓ〜数千ｍＰａ・Ｓ）のインキを用いる中粘度と呼ばれる水性インキ用ボールペンが開発されている。このものは、先端ボールの回転によって粘度が低下してインキがスムーズに流出する特性、所謂剪断減粘性を有する相対的に低粘性の水性のインキを用いたボールペンである。
又、油性ボールペンの改良として、耐乾燥性に優れた低粘度の油性インキを用いたボールペンが考えられる
【０００６】
上記、中粘度の水性インキ、低粘度の油性インキを用いたボールペンは何れも低粘性であることからチップ側を下向きにした場合に先端ボールとチップ抱持部の隙間が生じるとインキが滲みでる直流問題や上向き筆記や衝撃等でインキが逆流しやすい現象がある。インキが逆流や直流を起こすと衣類などを汚す危険がある。又、筆記具に搭載して、その筆記先端部が突出したまま胸ポケット等に差した場合に、衣服を汚損するという問題がある。
【０００７】
【発明が解決しようとする課題】
本発明の目的は、筆記先端部の耐乾燥性が維持されてシールキャップを外して放置することができ、インキの直流や逆流を防止可能とする機構を有する中粘度の水性、低粘度の油性ボールペンの筆記体を構成し、大形で非変形となるボールペン筆記体を複数本搭載して、
筆記先端部がスムーズに出没可能であり、又、筆記先端部が突出したままでは胸ポケット等に差せないように成して、筆記先端部の突出状態が容易に認知されることで衣服等を汚損する心配のない複式筆記具を単純な構造で安価に提供可能とする。
【０００８】
【課題を解決するための手段】
本発明は、複数のボールペン筆記体を軸筒内に搭載して、選択的に夫々の筆記先端部を軸筒の先端口から交互に出没可能とした複式筆記具に於いて、軸筒の後端孔に軸筒に対し回転のみ可能に止着される前方にスリット部を備えた操作体と、そのスリット部を貫通し更に軸筒の内周に設けた螺旋溝にボールペン筆記体と連動するように設けた摺動突部を係合させて、軸筒に対し操作体を回転することでボールペン筆記体が前後動可能となり、又、ボールペン筆記体のインキ収容部は略非変形で、且つ軸内に揺動なく嵌挿されるものであって、インキ収容部と筆記先端部を接続する部位がフレキシブルに変位可能な屈曲可能部で形成されてなる。
【０００９】
又、操作体の一側面に基部が固定されて軸筒の前方に向かって配設されたクリップと、クリップの先方部に係止部を備えた玉部が設けられ、該玉部と対接する軸筒周面の所定位置に係止部を備えた膨出部が設けられて、操作体を回転して筆記先端部が軸筒の先端口から突出した状態位置のみにおいて、クリップの玉部と膨出部の係止部が相互に係合してクリップの玉部が軸筒面から離反しないように構成されてなる。
【００１０】
又、ボールペン筆記体は、先端ボールを抱持するチップと後方にインク収容管を有し、該インク収容管内に筆記に伴う先端ボールの回転で粘性が低下して流出される、所謂剪断減粘性を有した水性ボールペンインキ又は低粘度の油性インキが充填され、インキの後端に筆記に伴うインキの消耗に追随して移動するグリース状の半透明不乾性物から成るフォロアが充填されて成る。
又、上記ボールペン筆記体は、先端ボールがチップ先端のボール抱持部の内縁に常時は押圧して密接し、筆記時には密接状態が解除されるように設けられたスプリングを有することから成る。
又、上記ボールペン筆記体は、チップ後端に対接してボール弁が遊嵌された弁室が設けられ、該弁室後部にボール弁が密接してインキの逆流を防ぐボール受け座及び該ボール受け座からインキ収容管に通ずる導孔が設けられて成る。
【００１１】
【実施例】
先ず、図１乃至図４は本発明の第１の実施例を示している。図１に於いて、２本のボールペン筆記体１ａ、１ｂが設けられている。
本発明の意図する複式筆記具は、所謂剪断減粘性を有した中粘度の水性、又は低粘度の油性ボールペンインキが充填されたボールペン筆記体や、大容量のインキを搭載した通常の油性ボールペン筆記体などが必要に応じて組み合わされて用いられるものである。
【００１２】
先ず、本発明の複式筆記具に搭載されるボールペン筆記体に付いて説明する。
尚、ボールペン筆記体１ａと１ｂは同じ構成であり、例えば、インキ色などが異なるものである。
又、ボールペン筆記体に適用されるインキは主として所謂剪断減粘性を有した中粘度水性、低粘度の油性インキである。
【００１３】
チップ１１は、インキ流入可能なチャンネルを有した座に先端ボール１２が略当接した状態で先端ボール１２が回転自在に抱持されるようカシメられている。
又、チップ１１の内孔部にスプリング１４が内挿され、スプリング１４の後端が抜出不能となるようにチップの後端を適宜カシメている。又、先端ボール１２がチップ抱持部の内面に密接することは筆記先端の乾燥、インキの直流防止に対し極めて重要であって、そのために先端ボールを抱持するチップ内面の表面粗さ、カシメによる密接精度を改善する為に内面の研削仕上げ、カシメ精度を上げる為の二次的な塑性加工が配慮される。又、先端ボールとの密接面に表面処理などが配慮される。又、スプリング１４の先方は直線状の棒軸部１５となり、その先端が先端ボール１２の背面に押圧状態で当接する。尚、先端ボール１２はその押圧によってチップ１１のボール抱持部（カシメなどで形成）の内縁に密接状態となる。
【００１４】
又、継ぎ手２は先端にチップ１１を圧着する前軸部３とインキ収容管１７の前端に圧着される後軸部５が形成され、前軸部３と後軸部５との間がフレキシブルに変位可能な屈曲可能部４で一体に接続された樹脂成形品で形成される。又、継ぎ手２内にはチップ１１の後端に対峙してボール弁１６が遊嵌された弁室７が設けられており、チップ１１が下向きの時には導孔９が開放されてインキ１８がチップ側に導通され、逆に上向きの状態ではボール弁１６が導孔９を密閉してインキの逆流を防止するよう構成されている。
【００１５】
ところで、インキ収容管１７の横断面は略Ｄ形（図示せず）を成しており、２本の平坦部を対接した状態で略円形となって後述する軸筒３０の内孔スペースに無駄な隙間なく内装する。又、３本の場合はインキ収容管の横断面は円形を１２０度分割した略扇状と成される。又、インキ収容管１７内には上記中粘度の水性又は低粘度の油性インキが充填され、更に、このインキの後端にインキの消耗と共にインキ面に接触して追随して移動可能なグリース状の半透明不乾性物から成るフォロア１９が充填されている。又、フォロア１９内にはフォロアと略同等の比重を有する樹脂製のフォロア棒２０が浸漬されている。
【００１６】
又、インキ収容管１７の後端孔には摺動コマ２１ａ前方の軸部２２が圧入固着されている。又、軸部２２の周面にはインキ収容管１７内部と外気を連通する通気溝が設けられている。
又、摺動コマ２１ａの後方軸部２４の一側には外面に適宜膨出した摺動突部２５が形成されている。以上で、ボールペン筆記体１ａは構成される。又、ボールペン筆記体１ｂも同様に構成される。
【００１７】
図１の複式筆記具は、２種のボールペン筆記体と、ボールペン筆記体を収納する軸筒３０と、軸筒３０の後端孔に回転のみ可能に固定される筒状の操作体３６から成る。又、軸筒３０に対し操作体３６が必要に応じて取り外されて筆記体の交換などを行う。
【００１８】
又、図１及び図２に示すように軸筒３０後方孔の内周面３１に螺旋溝３５が形成され、螺旋溝の後端側には軸筒後端に至る連通溝３５ａが設けられている。
又、前記内周面３１で、螺旋溝３５の前端側よりやや前方に段部３２が形成されている。又、軸筒３０後方孔の内周面３１後端近傍に円周状の凹溝３４が形成されている。
又、軸筒３０のやや後方寄りの外周に２箇所で膨出部３３が形成され、該膨出部３３の前面には凸部３３ｂと凹部３３ａから成る係止部が形成されている。
以上で、軸筒３０内に上記ボールペン筆記体１ａ，１ｂが嵌挿されると共に、ボールペン筆記体１ａ，１ｂ後端に設けた摺動コマ２１ａ，２１ｂの摺動突部２５が嵌挿される。
【００１９】
又、図３に示すように、操作体３６は後端に閉塞した天冠３６ａを有した筒体で、筒体の後方外周部一側に基部３８ａで接続されたクリップ３８が前方に延設されている。又、クリップ３８の玉部３９の後面に凸部４０と凹部４１から成る係止部が形成されており、後述する操作体の回転に伴うクリップの円周動によって玉部３９の凸部４０が上記膨出部３３の凹部３３ａに係脱する。
又、前記筒体で基部３８ａ前方の筒部３７後方周面には円周状の突部３７ｂが設けられ、その前方には前端に開口する２箇所のスリット部３７ａが形成されている。
【００２０】
以上で、軸筒３０の後方孔に上記操作体３６が嵌挿され、突部３７ｂが凹溝３４に係合して軸筒３０に対し操作体３６が回転可能で抜け止めされる。又、その際に、それぞれのスリット部３７ａに上記ボールペン筆記体１ａ，１ｂ後端に設けた摺動コマ２１ａ，２１ｂの摺動突部２５が嵌挿される。
【００２１】
以上で、軸筒３０に対する操作体３６の回転でボールペン筆記体１ａ，１ｂが交互に前後動して、それぞれの筆記先端部が軸筒の先端口から出没可能となる。その際、上述したようにインキ収容管１７は非変形であるが、屈曲可能部４によってスムーズに作動可能となる。
【００２２】
又、図５及び図６は本発明の第２の実施例を示している。
因みに、上記実施例１は軸筒に対し操作体３６を略１８０度の範囲で回転して、各ボールペン筆記体の先端部を軸筒先端口から出没可能とするものであるが、第２の実施例は軸筒５０に対し操作体３６を略３６０度回転させるようにしたものである。この場合には、回転抵抗を小さくできるので筆記体の出没ストロークを大きくすることが可能となり、従って、軸筒の先方形状をスマートに設計できるメリットがある。又、膨出部５４は一箇所でよい。又、軸筒５０の内周面５０ａには逆方向で交差する２箇所の螺旋溝５１，５２が形成されている。
【００２３】
【作用】
軸筒３０に対し操作体３６を一方に回転すると、摺動コマ２１ａ，２１ｂの摺動突部２５が操作体の回転に伴い螺旋溝３５に沿って摺動して、何れか一方の摺動コマが前進、他方が後退して、前進側の筆記体の筆記先端部を軸筒３０の先端口から突出させることが可能となる。又、ボールペン筆記体のインキ収容部が非変形であっても筆記先方部位がフレキシブルに変移するので作動が阻害されずに先端口からスムーズに筆記先端部が出没する。
【００２４】
又、一方のボールペン筆記体１ａが突出した状態に於いては、図１及び図５に示すようにクリップの玉部と軸筒周面の膨出部が相互に係合してクリップが胸ポケット等に差せない状態となる。
【００２５】
次に、操作体３６を他方に回転すると摺動コマ２１ａが後退してボールペン筆記体１ａの筆記先端部が軸筒３０内に没入すると共に、摺動コマ２１ｂが前進する。
その時、筆記先端部が軸筒３０内に収容された携帯状態となり、その状態に対するクリップは膨出部との係合が解除された位置となって胸ポケット等に容易に差すことが可能となる。
【００２６】
更に操作体３６を回転すると摺動コマ２１ａが更に後退し、摺動コマ２１ｂが更に前進してボールペン筆記体１ｂの筆記先端部が軸筒３０の先端口から突出する。その状態に対するクリップは玉部と軸筒周面の膨出部が相互に係合してクリップが胸ポケット等に差せない状態となる。
【００２７】
又、ボールペン筆記体１ａは、チップ１１を上向きにした状態に於いて、そのボール弁１６が弁室７のボール受け座８に位置して導孔９を密閉するので、上向き筆記されてチップの先端ボール１２背面のインキがなくなっても、インキにヘッドが掛かり逆流することがない。従って、チップ１１を下向きにした時にはインキがすぐに流出可能となり、筆記で掠れが防止される。（因みにボール弁を有しない構造では、上向き筆記でインキが逆流方向に作用するのでチップ内に空気を巻き込み、下向き筆記で即インキが追随せず掠れが生じる）
【００２８】
チップ１１を下向きにした筆記状態に於いては、ボール弁１６がチップ１１後端の一方に偏った状態に当接し、他方にはチップ１１内にインキが流入可能な流路が構成され、インキ収容管１７から導孔９を経て弁室７に入ったインキ１８は先端ボール１２の背面まで誘導される。
この状態で、棒軸部１５の押圧で先端ボール１２がチップ抱持部の内縁に密接されるのでインキの直流が防止される。又、筆圧により先端ボール１２が微小に後退するので隙間を生じてインキが流出可能となり、筆記により先端ボール１２の回転でインキがスムーズに流出され、ボテが無く、筆跡濃度の高い筆記が可能となる。
先端ボール１２の背面にはチャンネル（チップ内孔に向かって貫通したインキ流入溝を複数箇所に有した先端ボールの受け座）がありチャンネルの中心孔には棒軸部１５が貫通する。チップ内のインキはインキ流入溝および中心孔と棒軸部１５との間の隙間を通じて先端ボール１２背面に誘導される。
【００２９】
【発明の効果】
本発明の複式筆記具の構成及び作用は以上の如くであり、筆記先端部の耐乾燥性が維持されてシールキャップを外して放置することができ、インキの直流や逆流を防止可能とする機構を有する中粘度の水性、低粘度の油性ボールペンの筆記体を構成し、大形で非変形となるボールペン筆記体を複数本搭載して、筆記先端部がスムーズに出没可能であり、
筆記先端部が突出したままではクリップが胸ポケット等に差せないので、筆記先端部の突出状態が容易に認知されて、筆記先端部のシャープエッジによる人体や衣服の損傷が防止され、且つ、衣服等を汚損する心配の無く、
所用数の筆記体と、軸筒、操作体で単純に構成されるので安価に提供可能となる。
【図面の簡単な説明】
【図１】本発明の第１の実施例である複式筆記具の全体を示す縦断面図で、一部非断面で示されている。又、２種のボールペン筆記体が搭載されている。
【図２】軸筒の後方部位を示す縦断面図である。
【図３】操作体の縦断面図である。
【図４】本発明に使用されるボールペン筆記体の縦断面図である。
【図５】本発明の第２の実施例である複式筆記具の全体を示す縦断面図で、一部非断面で示されている。
【図６】第２の実施例に使用される軸筒の後方部位を示す縦断面図である。
【符号の説明】
１ａ  ボールペン筆記体
１ｂ  ボールペン筆記体
２  継ぎ手
３  前軸部
４  屈曲可能部
５  後軸部
６  鍔部
７  弁室
８  ボール受け座
９  導孔
１０  内孔部
１１  チップ
１２  先端ボール
１３  軸部
１４  スプリング
１５  棒軸部
１６  ボール弁
１７  インキ収容管
１８  インキ
１９  フォロア
２０  フォロア棒
２１ａ  摺動コマ
２１ｂ  摺動コマ
２２  軸部
２３  通気溝
２４  後方軸部
２５  摺動突部
３０  軸筒
３１  内周面
３２  段部
３３  膨出部
３３ａ  凹部
３３ｂ  凸部
３４  凹溝
３５  螺旋溝
３６  操作体
３６ａ  天冠
３７  筒部
３７ａ  スリット部
３７ｂ  突部
３８  クリップ
３８ａ  基部
３９  玉部
４０  凸部
４１  凹部
５０  軸筒
５１  螺旋溝
５１ａ  連通溝
５２  螺旋溝
５１ｂ  連通溝
５３  凹溝
５４  膨出部
【図１】
0003643182.tif 000002
【図２】
0003643182.tif 000003
【図３】
0003643182.tif 000004
【図４】
0003643182.tif 000005
【図５】
0003643182.tif 000006
【図６】
0003643182.tif 000007